(57)【要約】  関連付けられた放射束ビン・インデックスを有する発光ダイオード（ＬＥＤ）ストリングの駆動装置を有する、放射束補償ＬＥＤ駆動装置システム及び方法。駆動装置は、利得信号（３４）に応答し及び放射束をインデックス付けされた駆動電流（３６）を生成する電力コンバーター（２２）、電力コンバーター（２２）と接続され及びＬＥＤストリング（２６）を受けるＬＥＤコネクタ（２４）、並びに検知駆動電流信号（３８）と駆動電流設定点（２８）を比較し利得信号（３４）を生成する利得ブロック（３２）、を有する。利得ブロック（３２）は、放射束インデックス選択器３０に応答し、関連付けられた放射束ビン・インデックスの利得信号（３４）を調整する。
2008543045.tif 000002
【特許請求の範囲】
【請求項１】
関連付けられた放射束ビン・インデックスを有する発光ダイオード（ＬＥＤ）ストリングの駆動装置であって：
利得信号に応答し及び放射束インデックス駆動電流を生成する電力コンバーター；
前記電力コンバーターと接続され及び前記ＬＥＤストリングを受けるＬＥＤコネクタ；
検知駆動電流信号及び駆動電流設定点を比較し前記利得信号を生成する利得ブロック；を有し、
前記利得ブロックは、放射束インデックス選択器に応答し前記関連付けられた放射束ビン・インデックスの前記利得信号を調整する、駆動装置。
【請求項２】
前記放射束インデックス選択器は複数の接続点を有し、前記接続点のそれぞれは、対応する放射束ビン・インデックスを有し、及び前記ＬＥＤコネクタの前記接続点の１つへの接続は前記対応する放射束ビン・インデックスの前記検知駆動電流信号を調整する、請求項１記載の駆動装置。
【請求項３】
前記放射束インデックス選択器は可変構成要素を有し、前記可変構成要素は対応する放射束ビン・インデックスを有し、及び前記可変構成要素の選択は前記対応する放射束ビン・インデックスの前記検知駆動電流信号を調整する、請求項１記載の駆動装置。
【請求項４】
前記可変構成要素は、抵抗器、温度補償抵抗器、キャパシター、及びインダクターを有するグループから選択される、請求項３記載の駆動装置。
【請求項５】
前記放射束インデックス選択器はデータ接続を有し、及び前記利得ブロックはマイクロプロセッサーを有する、請求項１記載の駆動装置。
【請求項６】
前記データ接続は放射束データを前記マイクロプロセッサーへ提供し、前記放射束データは、前記駆動電流設定点、第１の対応する放射束ビン・インデックスを有する駆動電流設定点スケール係数、第２の対応する放射束ビン・インデックスを有する検知駆動電流信号スケール係数、及び関連付けられた放射束ビン・インデックスを有するグループから選択される、請求項５記載の駆動装置。
【請求項７】
前記マイクロプロセッサーは前記放射束データを格納するメモリーを有する、請求項６記載の駆動装置。
【請求項８】
放射束インデックス選択器は関連構成要素有し、前記関連構成要素は前記ＬＥＤストリングに統合される、請求項１記載の駆動装置。
【請求項９】
前記関連構成要素は、抵抗器、温度補償抵抗器、キャパシター、及びインダクターを有するグループから選択される、請求項８記載の駆動装置。
【請求項１０】
放射束インデックス選択器は、並列に接続された複数の関連構成要素を有し、前記複数の関連構成要素のそれぞれは複数のＬＥＤストリングの１つに関連付けられる、請求項１記載の駆動装置。
【請求項１１】
発光ダイオード（ＬＥＤ）ストリングの放射束制御方法であって：
前記ＬＥＤストリングの放射束ビン・インデックスを決定する段階；
駆動電流設定点を提供する段階；
前記ＬＥＤストリングに駆動電流を通過させる段階；
前記駆動電流を検知し検知駆動電流信号を生成する段階；及び
前記検知駆動電流信号と前記駆動電流設定点との間の差に応じて前記駆動電流を制御する段階；を有し、
前記検知駆動電流信号及び前記駆動電流設定点の少なくとも１つは、前記放射束ビン・インデックスに応じてスケールされる、方法。
【請求項１２】
それぞれ対応する放射束ビン・インデックスを有する複数の接続点を設ける段階；及び
前記ＬＥＤストリングを、前記ＬＥＤストリングに対し決定された前記放射束ビン・インデックスに対応する接続点に接続する段階により；
前記検知駆動電流がスケールされる、請求項１１記載の方法。
【請求項１３】
前記検知駆動電流信号は、検知駆動電流回路で生成され、及び前記検知駆動電流信号は、前記検知駆動電流回路のインピーダンスを調整することによりスケールされる、請求項１１記載の方法。
【請求項１４】
前記駆動電流設定点は、駆動電流設定点回路で生成され、及び前記駆動電流設定点は、前記駆動電流設定点回路のインピーダンスを調整することによりスケールされる、請求項１１記載の方法。
【請求項１５】
発光ダイオード（ＬＥＤ）ストリングの放射束制御システムであって：
前記ＬＥＤストリングの放射束ビン・インデックスを決定する手段；
駆動電流設定点を提供する手段；
前記ＬＥＤストリングに駆動電流を通過させる手段；
前記駆動電流を検知し検知駆動電流信号を生成する手段；
前記検知駆動電流信号と前記駆動電流設定点との間の差に応じて前記駆動電流を制御する手段；並びに
前記放射束ビン・インデックスに応じて前記検知駆動電流信号及び前記駆動電流設定点の少なくとも１つをスケールする手段、を有するシステム。
【請求項１６】
前記スケールする手段は、ＬＥＤストリングを接続する複数の手段を有し、前記接続する手段のそれぞれは対応する放射束ビン・インデックスを有する、請求項１５記載のシステム。
【請求項１７】
前記スケールする手段は、前記提供する手段のインピーダンスを調整する手段、及び前記検知する手段のインピーダンスを調整する手段を有するグループから選択される手段を有する、請求項１５記載のシステム。
【請求項１８】
照明システムであって：
発光ダイオード（ＬＥＤ）コネクタを有し及び検知駆動電流信号に応答するＬＥＤ駆動装置；及び
第１の関連構成要素と接続された第１のＬＥＤストリングを有する第１のＬＥＤ組立品；を有し、
前記第１のＬＥＤ組立品は、前記ＬＥＤコネクタと接続され、及び前記第１の関連構成要素は前記検知駆動電流信号を生成する、システム。
【請求項１９】
前記第１のＬＥＤストリングは、高電圧端及び低電圧端を有し、前記第１の関連構成要素は、前記高電圧端との直列接続、前記低電圧端との直列接続、及び前記高電圧端と前記低電圧端との間の並列接続を有するグループから選択された方法で前記第１のＬＥＤストリングと接続される、請求項１８記載のシステム。
【請求項２０】
第２の関連構成要素と接続された第２のＬＥＤストリングを有する第２のＬＥＤ組立品；を更に有し、
前記第２のＬＥＤ組立品は前記第１のＬＥＤ組立品と並列に接続され、及び前記第２の関連構成要素は前記第１の関連構成要素と並列に接続される、請求項１８記載のシステム。
【請求項２１】
前記第１の関連構成要素は、抵抗器、温度補償抵抗器、キャパシター、及びインダクターを有するグループから選択される、請求項１８記載のシステム。
【請求項２２】
前記第１の関連構成要素は、前記第１のＬＥＤストリングと並列接続された抵抗器であり、及び前記ＬＥＤ駆動装置は前記第１の関連構成要素に逆電圧を印加する、請求項１８記載のシステム。
【請求項２３】
前記ＬＥＤ駆動装置は、前記ＬＥＤ駆動装置が作動された場合と周期的時間とを有するグループから選択された時に前記逆電圧を印加する、請求項２２記載のシステム。
【請求項２４】
前記第１の関連構成要素は、前記第１のＬＥＤストリングの故障時に前記ＬＥＤ駆動装置を止める、請求項１８記載のシステム。
【発明の詳細な説明】
【技術分野】
【０００１】
本発明は、一般にランプ発光ダイオード（ＬＥＤ）駆動装置、及びより詳細には、放射束補償を備えたＬＥＤ駆動システム及び方法に関する。
【背景技術】
【０００２】
発光ダイオード（ＬＥＤ）は、信号機及び標識のような種々の用途に益々広く用いられている。ＬＥＤが自動車用途の白熱灯を近い将来に置き換えること、及び多くの汎用照明用途の白熱灯、ハロゲンランプ、及び蛍光灯を数年以内に置き換えることが期待されている。ＬＥＤは高効率の明るい照明を提供する。
【０００３】
ＬＥＤには、しかしながら、動作特性及び製造の制限によるある問題が存在する。ＬＥＤは小さい電圧変化に対し大きな電流変化を示すので、ＬＥＤ駆動装置はＬＥＤへの電流を制御しなければならない。ある解決法は、ＬＥＤと直列に抵抗器を配置することにより電流を制限している。しかし、このような解決法は特定用途の特定ＬＥＤの機能及び効率要件に最適化できない。
【０００４】
ＬＥＤ製造時のプロセスの大きな変動は、結果として動作特性に大きなばらつきを生じる。動作特性の変動を説明するため、製造者は動作特性のサンプルを採り、ビンと称される同様の動作特性を有する一団の中にＬＥＤを仕分ける。ビンの例は、電位差を説明する電圧ビン、所与の駆動電流における光出力差を説明する放射束ビン、及び色差を説明する色ビンである。製造者は、標準的にビン・コードを特定の特性を有するＬＥＤに割り当てる。例えば、放射束ビン・コードＰは所与の電流で２０乃至３０ルーメン放射束を生成するＬＥＤに割り当てられ、放射束ビン・コードＱは同一電流で３０乃至４０ルーメン放射束を生成するＬＥＤに割り当てられる。
【０００５】
ＬＥＤ駆動装置は、電流制御による電圧ビンの間の変動を補償し得る。しかし、放射束の間の変動を補償するために単純な補正は利用できない。現在、異なる駆動電流設定を有する異なるＬＥＤ駆動装置が放射束ビン毎に用いられるか、又はＬＥＤ駆動装置が内部的に変更され、所望の駆動電流設定を有するＬＥＤ駆動装置を設ける。異なるＬＥＤ駆動装置を異なる放射束ビンに用いると、異なる駆動電流設定毎に異なるＬＥＤ駆動装置を製造する及び仕入れる際に追加費用を生じる。
【発明の開示】
【発明が解決しようとする課題】
【０００６】
上述の不利点を克服するＬＥＤ駆動システム及び方法を提供することは、望ましい。
【課題を解決するための手段】
【０００７】
本発明のある態様は、関連付けられた放射束ビン・インデックスを有する発光ダイオード（ＬＥＤ）ストリングの駆動装置を提供する。前記駆動装置は、利得信号に応答し及び放射束インデックス駆動電流を生成する電力コンバーター、前記電力コンバーターと接続され及び前記ＬＥＤストリングを受けるＬＥＤコネクタ、並びに検知駆動電流信号と駆動電流設定点を比較し利得信号を生成する利得ブロック、を有する。利得ブロックは、放射束インデックス選択器に応答し、関連付けられた放射束ビン・インデックスの利得信号を調整する。
【０００８】
本発明の別の態様は、発光ダイオード（ＬＥＤ）ストリングの放射束制御方法を提供する。前記方法は、前記ＬＥＤストリングの放射束ビン・インデックスを決定する段階、駆動電流設定点を提供する段階、前記ＬＥＤストリングに駆動電流を通過させる段階、前記駆動電流を検知し検知駆動電流信号を生成する段階、及び前記検知駆動電流信号と前記駆動電流設定点との間の差に応じて前記駆動電流を制御する段階、を有する。検知駆動電流信号及び駆動電流設定点の少なくとも１つは、放射束ビン・インデックスに応じてスケールされる。
【０００９】
本発明の別の態様は、発光ダイオード（ＬＥＤ）ストリングの放射束制御システムを提供する。前記システムは、前記ＬＥＤストリングの放射束ビン・インデックスを決定する手段、駆動電流設定点を提供する手段、前記ＬＥＤストリングに駆動電流を通過させる手段、前記駆動電流を検知し検知駆動電流信号を生成する手段、前記検知駆動電流信号と前記駆動電流設定点との間の差に応じて前記駆動電流を制御する手段、並びに前記放射束ビン・インデックスに応じて前記検知駆動電流信号及び前記駆動電流設定点の少なくとも１つをスケールする手段、を有する。
【００１０】
本発明の別の態様は、照明システムを提供する。前記システムは、ＬＥＤコネクタを有し及び検知駆動電流信号に応答する発光ダイオード（ＬＥＤ）駆動装置、並びに第１の関連構成要素と接続された第１のＬＥＤストリングを有する第１のＬＥＤ組立品、を有する。第１のＬＥＤ組立品はＬＥＤコネクタに接続される。また第１の関連構成要素は検知駆動電流信号を生成する。
【００１１】
本発明の前述の及び他の特徴及び利点は、図を参照し与えられる、現在好適な実施例の以下の詳細な説明から更に明らかである。詳細な説明及び図は、本発明を単に説明するものであり、添付の請求項により定められる本発明の範囲及びその等価物を制限しない。
【発明を実施するための最良の形態】
【００１２】
図１は、本発明により作られた放射束補償を有するＬＥＤ駆動システムのブロック図である。ＬＥＤ駆動装置は、特定のＬＥＤストリングの放射束ビン・インデックスに従い特定のＬＥＤストリングを通じる駆動電流を制御することにより、製造時のＬＥＤストリングの間の放射束変動を補償する。ＬＥＤ駆動装置は、接続点、可変構成要素、及び／又はデータ接続のような放射束インデックス選択器の情報から、適正な放射束インデックス駆動電流を決定する。
【００１３】
ＬＥＤ駆動装置２０は、電力コンバーター２２、ＬＥＤコネクタ２４、及び利得ブロック３２を有する。電力コンバーター２２は、利得ブロック３２からの利得信号３４に応答し、図１の矢印で示された、放射束インデックス駆動電流３６を生成する。ＬＥＤコネクタ２４は、電力コンバーター２２と接続され、放射束インデックス駆動電流３６をＬＥＤストリング２６へ供給する。ＬＥＤストリング２６は関連付けられた放射束ビン・インデックスを有する。利得ブロック３２は、検知駆動電流信号３８と駆動電流設定点２８を比較し、利得信号３４を生成する。利得ブロック３２は、放射束インデックス選択器３０に応答し、関連付けられた放射束ビン・インデックスの利得信号３４を調整する。
【００１４】
ＬＥＤストリング２６は、ＬＥＤコネクタ２４に渡り接続された１又は複数のＬＥＤを有する。ＬＥＤストリング２６は、所与の駆動電流でＬＥＤストリング２６内のＬＥＤの光出力を示す関連付けられた放射束ビン・インデックスを有する。関連付けられた放射束ビン・インデックスは、ＬＥＤ製造者から得られた放射束ビン・コードであるか、又は実験的に決定され得る。電力コンバーター２２は、放射束インデックス駆動電流３６をＬＥＤストリング２６へ提供可能な如何なる電力コンバーターであっても良い。
【００１５】
図２乃至４では、図１と同様の要素は同様の参照番号を共有する。図２乃至４は、本発明により作られた放射束補償を有するＬＥＤ駆動回路の実施例の概略図である。図２の実施例は、放射束インデックス選択器として接続点を用いる。ＬＥＤストリングの選択された接続点は、利得ブロックを通じて検知駆動電流信号を調整する。図３の実施例は、放射束インデックス選択器として可変構成要素を用いる。可変構成要素の選択された構成要素値は、利得ブロックを通じ駆動電流設定点を調整する。図４の実施例は、放射束インデックス選択器としてデータ接続を用いる。データ接続により提供されＬＥＤ駆動装置内に格納された選択された放射束データは、放射束インデックス駆動電流を決定する。
【００１６】
図２を参照する。放射束インデックス選択器３０は、第１の接続点５０及び第２の接続点５２を有する。ＬＥＤコネクタ２４は、上流端子５４及び下流端子５６を有する。下流端子５６を接続点の１つへ接続することは、検知駆動電流信号３８をスケールすることにより利得ブロック３２の利得信号を調整する。
【００１７】
利得ブロック３２は、第１の接続点５０と第２の接続点５２との間に接続された第１の抵抗器５８、前記第２の接続点５２と共通との間に接続された第２の抵抗器６０、前記第１の抵抗器５８と前記第２の抵抗器６０に渡り接続された電流帰還増幅器６４、前記電流帰還増幅器６４の出力と負入力との間に接続された第３の抵抗器６２、並びに前記電流帰還増幅器６４の出力及び駆動電流設定点２８に渡り接続された誤差増幅器６６、を有する。誤差増幅器６６の出力は、利得信号３４を電力コンバーター２２へ提供する。検知駆動電流信号３８は、放射束インデックス選択器３０と電流帰還増幅器６４の出力との間の検知駆動電流回路で生成される。駆動電流設定点２８は、誤差増幅器６６への入力にある駆動電流設定点回路で生成される。
【００１８】
作動中、ユーザーは、ＬＥＤストリングの放射束ビン・インデックスを決定し、そして下流端子５６を放射束ビン・インデックスに対応する接続点に接続する。第１の放射束ビン・インデックスの例では、ユーザーは、下流端子５６を第１の放射束ビン・インデックスに対応する第１の接続点５０に接続する。放射束インデックス駆動電流３６は、第１の抵抗器５８及び第２の抵抗器６０に渡る電圧降下により検知され、検知駆動電流電圧６８を生成する。検知駆動電流電圧６８は、電流帰還増幅器６４によりスケールされ、検知駆動電流信号３８を生成する。誤差増幅器６６は、検知駆動電流信号３８と駆動電流設定点２８とを比較し、及び利得信号３４を電力コンバーター２２へ提供し、放射束インデックス駆動電流３６を制御する。検知駆動電流信号３８は、第１の放射束ビン・インデックスに応じてスケールされる。第２の放射束ビン・インデックスの例では、ユーザーは、下流端子５６を第２の放射束ビン・インデックスに対応する第２の接続点５２に接続する。放射束インデックス駆動電流３６は、第２の抵抗器６０に渡る電圧降下により検知され、検知駆動電流電圧６８を生成する。検知駆動電流電圧６８は、電流帰還増幅器６４によりスケールされ、検知駆動電流信号３８を生成する。誤差増幅器６６は、検知駆動電流信号３８と駆動電流設定点２８とを比較し、利得信号３４を電力コンバーター２２へ提供し、放射束インデックス駆動電流３６を制御する。検知駆動電流信号３８は、第２の放射束ビン・インデックスに応じてスケールされる。
【００１９】
当業者には、第１の抵抗器５８及び第２の抵抗器６０を有する一連の検知抵抗器が、追加抵抗器、及び追加検知抵抗器の間の追加接続点で拡張され、必要に応じて多くの放射束ビン・インデックスに適応し得ることを理解するだろう。
【００２０】
図３を参照する。図３では、図２と同様の構成要素は同様の参照符合を共有する。放射束インデックス選択器３０は、構成要素コネクタ８２と接続された抵抗器のような可変構成要素８０である。可変構成要素８０は、第１の抵抗器８６と並列に接続される。第１の抵抗器８６及び第２の抵抗器８４は、基準電圧Ｖｒｅｆと共通との間に直列に接続される。分圧器８５は、第１の抵抗器８６、第２の抵抗器８４、及び可変構成要素８０を有する。分圧器８５は、第１の抵抗器８６と第２の抵抗器８４との接点から駆動電流設定点２８を提供する。可変構成要素８０は、駆動電流設定点２８をスケールすることにより利得ブロック３２の利得信号を調整する。
【００２１】
利得ブロック３２は、基準電圧Ｖｒｅｆと共通との間に直列に接続された第１の抵抗器８６及び第２の抵抗器８４、ＬＥＤストリング２６と直列に且つ電流帰還増幅器６４に渡り接続された第３の抵抗器８８、並びに電流帰還増幅器６４の出力及び第１の抵抗器８６と第２の抵抗器８４との間の接点に接続された誤差増幅器６６、を有する。誤差増幅器６６の出力は、利得信号３４を電力コンバーター２２へ提供する。検知駆動電流信号３８は、第３の抵抗器８８と電流帰還増幅器６４の出力との間の検知駆動電流回路で生成される。駆動電流設定点２８は、放射束インデックス選択器３０と誤差増幅器６６への入力との間の駆動電流設定点回路で生成される。
【００２２】
作動中、ユーザーは、ＬＥＤストリング２６の放射束ビン・インデックスを決定し、放射束インデックスに対応する構成要素値を有する可変構成要素８０を選択し、そして当該可変構成要素８０を構成要素コネクタ８２に接続する。この例の可変構成要素８０は、抵抗器である。可変構成要素８０は、第１の抵抗器８６と並列に接続され、共通と第１の抵抗器８６の第２の抵抗器８４との接点との間の分圧器８５の抵抗値を低下させ、駆動電流設定点２８を低下させる。これは、駆動電流設定点２８と検知駆動電流信号３８との間の差を生じる。つまり電力コンバーター２２は、放射束インデックス駆動電流３６を低減し、検知駆動電流信号３８を低減し、そしてシステムを平衡させる。駆動電流設定点２８は、放射束ビン・インデックスに応じてスケールされる。
【００２３】
当業者は、可変構成要素８０が抵抗器に限定されないことを理解するだろう。可変構成要素８０は、受動又は能動回路であり得、及び抵抗器、温度補償抵抗器、キャパシター、インダクター等のような１又は複数の構成要素を有し得る。正又は負の温度補償抵抗器は、必要に応じて動作温度が変化する駆動電流要件で変化を補償するために用いられ得る。更に、可変構成要素８０の置換は、図３に示された例に限定されず、また駆動電流設定点２８をスケールすることに限定されない。代替の実施例では、可変構成要素８０は第３の抵抗器８８と直列に又は並列に接続され、検知駆動電流信号３８をスケールし得る。他の代替の実施例では、可変構成要素８０は基準電圧Ｖｒｅｆと誤差増幅器６６の入力との間に接続され、駆動電流設定点２８をスケールし得る。
【００２４】
図４を参照する。放射束インデックス選択器３０は、ＬＥＤ駆動装置２０に格納された放射束データを提供するデータ接続１００である。データ接続１００は、メモリー１０６を備えたマイクロプロセッサー１０４と接続され、及び放射束データを備えたデータ信号１０２をマイクロプロセッサー１０４へ提供する。マイクロプロセッサー１０４は、検知駆動電流信号３８を受信し、利得信号３４を電力コンバーター２２へ提供する。ＬＥＤストリング２６はＬＥＤコネクタ２４と接続され、放射束インデックス駆動電流３６を電力コンバーター２２から受信する。
【００２５】
作動中、図４の例のＬＥＤ駆動装置２０は、図２及び３に示された実施例と同じく機能する。しかし、マイクロプロセッサー１０４は利得ブロックとして動作し、別個の構成要素ではなくマイクロプロセッサー内の値を比較及びスケールする。駆動電流設定点は、検知駆動電流信号３８、及び差に応じてマイクロプロセッサー１０４により生成された利得信号３４と比較され、電力コンバーター２２からの放射束インデックス駆動電流３６を制御する。放射束データを有するデータ信号１０２は、製造時にＬＥＤ駆動装置２０へ提供され得、及び／又は電力線、無線接続等を介した伝送による等でＬＥＤ駆動装置２０が設置された後に提供され得る。
【００２６】
放射束データは、駆動電流設定点、特定のＬＥＤストリング２６の放射束ビン・インデックスに対応する駆動電流設定点のスケール係数、特定のＬＥＤストリング２６の放射束ビン・インデックスに対応する検知駆動電流信号３８のスケール係数、及び／又は特定のＬＥＤストリング２６の放射束ビン・インデックス、を有し得る。ある実施例では、放射束データは駆動電流設定点を有する。駆動電流設定点は、特定のＬＥＤストリング２６の放射束ビン・インデックスの駆動電流設定点である。別の実施例では、駆動電流設定点はメモリー１０６に格納された定数であり、及び放射束データは特定のＬＥＤストリング２６の放射束ビン・インデックスに対応する駆動電流設定点スケール係数を有する。更に別の実施例では、放射束データは、特定のＬＥＤストリング２６の放射束ビン・インデックスに対応する検知駆動電流信号スケール係数を有する。更に別の実施例では、放射束データは、特定のＬＥＤストリング２６の放射束ビン・インデックスを有する。メモリーは、放射束ビン・インデックスを駆動電流設定点及び／又は検知駆動電流信号３８のスケール係数に変換する関数又は表を有する。当業者は、種々の設定点、スケール係数、関数、及び表が、新たな値をデータ接続１００を通じてダウンロードすることによりメモリー１０６内で必要に応じ変更され得ることを理解するだろう。
【００２７】
図５及び６では、図１と同様の要素は同様の参照番号を共有する。図５及び６は、本発明により作られた照明システムの概略図である。図５は単一のＬＥＤ組立品を有し、図６は並列のＬＥＤ組立品を有する。この実施例では、各ＬＥＤ組立品は、ＬＥＤストリング及び関連構成要素を有する。
【００２８】
図５を参照する。ＬＥＤ駆動装置２０はＬＥＤコネクタ２４を通じＬＥＤ組立品１１０へ放射束インデックス駆動電流３６を提供する。ＬＥＤ組立品１１０は、１又は複数のＬＥＤを備えたＬＥＤストリング２６、及び関連構成要素１１２を有する。関連構成要素１１２は、ＬＥＤストリング２６と接続され、検知駆動電流信号３８をＬＥＤ駆動装置２０へ提供する。ＬＥＤストリング２６は、放射束インデックス駆動電流３６がＬＥＤストリング２６へ入る高電圧端、及び放射束インデックス駆動電流３６がＬＥＤストリング２６を出る低電圧端を有する。ＬＥＤ駆動装置２０は、検知駆動電流信号３８に応答し、放射束インデックス駆動電流３６を調整する。関連構成要素１１２の構成要素値は、ＬＥＤストリング２６の放射束ビン・インデックスに対応するよう選択され得る。この例では、関連構成要素１１２は抵抗器である。関連構成要素１１２は、ＬＥＤ組立品１１０及び／又はＬＥＤストリング２６に統合され得る。
【００２９】
図６を参照する。第２のＬＥＤ組立品１３０は、ＬＥＤコネクタ１４２をＬＥＤコネクタ２４と接続することにより、ＬＥＤ組立品１１０と並列に接続され得る。第２のＬＥＤ組立品１３０は、１又は複数のＬＥＤを備えたＬＥＤストリング２６、及び関連構成要素１３４を有する。関連構成要素１３４は、ＬＥＤストリング１３２と接続され、及び関連構成要素１１２と並列に接続され、検知駆動電流信号３８をＬＥＤ駆動装置２０へ提供する。この例では、関連構成要素１３４は抵抗器である。第２のＬＥＤ組立品１３０は、ＬＥＤ組立品１１０と異なる電流要件を有し得るが、標準的に同一の電圧要件を有する。
【００３０】
作動中、並列ＬＥＤ組立品の関連構成要素を並列にすることは、検知駆動電流信号３８をスケールし、適正な放射束インデックス駆動電流３６を生成する。例えば、ＬＥＤコネクタに渡り１００ボルトの印加電圧を有する関連構成要素に対し１００オームの抵抗値を仮定する。図５に示されたような単一のＬＥＤ組立品では、検知駆動電流信号３８は１００Ｖ／１００Ω又は１Ａｍｐの駆動電流に対応する。図６に示されたような並列のＬＥＤ組立品では、検知駆動電流信号３８は１００Ｖ／５０Ω又は２Ａｍｐの駆動電流に対応し、単一のＬＥＤ組立品の場合の２倍である。関連構成要素の抵抗値は等しい必要はなく、異なる駆動電流要件のＬＥＤ組立品で異なり得る。ＬＥＤコネクタに渡り１００ボルトの印加電圧を有する上述の例を続けると、０．５Ａｍｐを必要とし関連構成要素の抵抗値２００Ωを有する１個のＬＥＤ組立品、及び０．１Ａｍｐを必要とし関連構成要素の抵抗値１０００Ωを有する３個のＬＥＤ組立品では、検知駆動電流信号３８は１００Ｖ／１２５Ω又は０．８Ａｍｐの駆動電流に対応する。
【００３１】
当業者は、多数の有用な変化が図５及び６の例に成され得ることを理解するだろう。ある実施例では、関連構成要素は、受動又は能動回路であり得、及び抵抗器、温度補償抵抗器、キャパシター、インダクター等のような１又は複数の構成要素を有し得る。インダクターの場合、ＬＥＤ駆動装置２０は高周波数信号を放射束インデックス駆動電流３６に課し、インダクターを検出し得る。抵抗器の場合、抵抗器は、正又は負の温度補償抵抗器であり、必要に応じて動作温度が変化する駆動電流要件で変化を補償し得る。更に、関連構成要素の置換は、示された例に限定されない。関連構成要素は、ＬＥＤストリングの高電位側に接続されるか、又はＬＥＤストリングと並列に接続され得る。関連構成要素として抵抗器を並列接続する場合、ＬＥＤ駆動装置２０は、回路が作動された場合に小さい逆電圧を印加するか、又は抵抗値を周期的に若しくは絶えず検出し得る。ある実施例では、関連構成要素は、関連付けられたＬＥＤストリングを検出すること、及びＬＥＤ駆動装置２０に放射束インデックス駆動電流３６を遮断させ残りの良好なＬＥＤ組立品の損傷を回避することに失敗し得る。別の実施例では、同一の公称電流要件を有するＬＥＤ組立品は直列に接続され、及びＬＥＤ組立品の１つの関連構成要素はＬＥＤ駆動装置２０と接続され検知駆動電流信号３８を提供する。単一の関連構成要素は、一連のＬＥＤ組立品全体に対し、放射束インデックス駆動電流３６を制御する。
【００３２】
本願明細書に開示された本発明の実施例は、現在好ましいと考えられるが、種々の変化及び変更は、本発明の精神と範囲から逸脱することなくなされ得る。当業者は、図１乃至図６に関し記載された実施例が例であること、及び特定の用途の必要に応じて別の回路が用いられ得ることを理解するだろう。本発明の範囲は、添付の請求項に示される。また等価物の意味及び範囲内の全ての変化は、本発明の範囲に包含される。
【図面の簡単な説明】
【００３３】
【図１】本発明により作られた放射束補償を有するＬＥＤ駆動システムのブロック図である。
【図２】本発明により作られた放射束補償を有するＬＥＤ駆動回路の実施例の概略図である。
【図３】本発明により作られた放射束補償を有するＬＥＤ駆動回路の実施例の概略図である。
【図４】本発明により作られた放射束補償を有するＬＥＤ駆動回路の実施例の概略図である。
【図５】本発明により作られた照明システムの概略図である。
【図６】本発明により作られた照明システムの概略図である。
【図１】
2008543045.tif 000003
【図２】
2008543045.tif 000004
【図３】
2008543045.tif 000005
【図４】
2008543045.tif 000006
【図５】
2008543045.tif 000007
【図６】
2008543045.tif 000008
【国際調査報告】
2008543045.tif 000009
2008543045.tif 000010